(57)【要約】      （修正有）【課題】購入者の手に渡る前の製品の流通段階において、取手孔から外箱内へのゴミや埃等の侵入を防止することができる梱包用外箱構造を提供する。【解決手段】側面に取手部２が形成された外箱本体１に、この取手部２を覆うように保護部材３を貼り付けた構成とした。これにより、誤って取手部２に手をかけてしまっても容易には取手孔を開けることができないため、購入者の手に渡る前の製品の流通段階において、取手孔が開いてしまうことを防止し、外箱内にゴミや埃等が侵入することを防止することができる。外箱本体１には特別な加工を必要としないので、簡単な構成で上述の効果を得ることができる。【選択図】図１
0003210354.tif 000002
【実用新案登録請求の範囲】
【請求項１】
被梱包品を収納する外箱本体と、
前記外箱本体の側面の一部を切欠く、もしくは一部を前記外箱本体の側面に対して折り曲げ可能にして形成される取手部と、
再剥離性を有する粘着材が塗布され、前記取手部を覆うように前記外箱本体に貼り付けられる保護部材と、
を備えることを特徴とする梱包用外箱構造。
【請求項２】
前記保護部材は、前記保護部材の取り扱いに関する注意表示を有することを特徴とする請求項１記載の梱包用外箱構造。
【考案の詳細な説明】
【技術分野】
【０００１】
本考案は、被梱包品を梱包する際に用いられる梱包用外箱の構造に関するものである。
【背景技術】
【０００２】
工場等で製造された製品（被梱包品）は、ダンボール箱などの梱包用の外箱に梱包されて出荷される。多くの場合この外箱には、購入者が製品を持ち運ぶ際に指を入れるための取手孔が形成されている。
【０００３】
ただし、外箱に取手孔が開いた状態では、ここからゴミや埃等が侵入してしまう。そのため、外箱には取手孔となる部分にミシン目や半切線等が入れられており、この部分を手で打ち抜くことで孔が開き、取手として使用することができるようになっている（例えば、特許文献１）。これにより、工場で製造されてから取手孔を開けるまでは箱には孔は開いていないため、製品が購入者の手に渡るまではゴミや埃等の侵入が抑えられるようになっている。
【先行技術文献】
【特許文献】
【０００４】
【特許文献１】特開２００１−１８９４９号公報
【考案の概要】
【考案が解決しようとする課題】
【０００５】
しかしながら、購入者の手に渡る前の流通段階、例えば運搬業者や販売店などで誤って外箱の取手孔を開けてしまうことがある。この場合、製品の輸送中や倉庫での保管中に取手孔からゴミや埃などが侵入することになる。特に静電気により帯電しやすい樹脂製品ではゴミや埃が付着しやすく、汚れが目立ってしまうため、製品に対する印象を著しく損なうおそれがある。
【０００６】
本考案は上記課題を解決するためのもので、購入者の手に渡る前の製品の流通段階において、取手孔から外箱内へのゴミや埃等の侵入を防止することを目的とする。
【課題を解決するための手段】
【０００７】
本考案は、被梱包品を収納する外箱本体と、前記外箱本体の側面の一部を切欠く、もしくは一部を前記外箱本体の側面に対して折り曲げ可能にして形成される取手部と、再剥離性を有する粘着材が塗布され、前記取手部を覆うように前記外箱本体に貼り付けられる保護部材と、を備えることを特徴とする梱包用外箱構造である。
【０００８】
また、前記保護部材は、前記保護部材の取り扱いに関する注意表示を有することを特徴とする請求項１記載の梱包用外箱構造である。
【考案の効果】
【０００９】
上述の構成にすることにより、購入者の手に渡る前の製品の流通段階において、取手孔から外箱内へのゴミや埃等の侵入を防止することができる。
【図面の簡単な説明】
【００１０】
【図１】本実施形態の梱包用外箱構造の一例を示す外観図である。
【図２】外箱本体の側面図である。
【図３】保護部材の一例を示す図である。
【考案を実施するための形態】
【００１１】
好適と考える本考案の最良の形態を、本考案の作用効果を示して簡単に説明する。
【００１２】
本考案は、側面に取手部が形成された外箱本体に、この取手部を覆うように保護部材を貼り付けて構成される。これにより、誤って取手部に手をかけてしまっても容易には取手孔を開けることができないため、購入者の手に渡る前の製品の流通段階において、取手孔が開いてしまうことを防止し、外箱内にゴミや埃等が侵入することを防止することができる。この構成であれば外箱本体には特別な加工を必要としないので、簡単な構成で上述の効果を得ることができる。そして、保護部材は再剥離性を有しているため、製品の購入者が持ち運びのために取手孔を開ける際には容易に剥がすことができる。
【００１３】
また、保護部材に注意書きを表示することで、故意に取手孔を開けるために保護部材が剥がされてしまうことを有効に防止することができる。
【実施例１】
【００１４】
以下、本考案の一実施例を図面により説明する。
【００１５】
図１は本実施形態の梱包用外箱構造の一例を示す外観図である。ダンボールなどにより構成される略直方体形状の外箱本体１は、側面のうち相対する２面に取手部２を有しており、この取手部２の上には保護部材３が貼り付けられている。
【００１６】
図２は外箱本体１の側面図である。取手部２は、外箱本体１に刻まれたミシン目４と、このミシン目４に囲まれた折曲片５からなり、折曲片５をミシン目４に沿って打ち抜いて内側に折り込むことで外箱本体１に取手孔が形成され、持ち運びの際にはこの孔に指を差し込むことができるようになっている。なお、取手部２はこれに限らず、外箱本体１の側面を切り欠いて形成されていてもよい。
【００１７】
保護部材３は、裏面に再剥離性を有する粘着材が塗布されており、取手部２（折曲片５）の全体を覆うように外箱本体１に貼り付けられている。
【００１８】
このように、取手部２に保護部材３が貼り付けられていることで、流通段階において取手部２の上から手をかけてしまったとしても、容易には折曲片５を打ち抜くことができないため、誤って取手孔を開けてしまうことを防止することができる。これにより、輸送中や倉庫での保管中に、取手孔からゴミや埃等が侵入してしまうことが防止される。
【００１９】
保護部材３は再剥離可能であるから、製品の購入者が持ち運びのために取手孔を開けるときには容易に剥がすことができ、またその際に外箱本体１に傷をつけてしまうこともない。
【００２０】
そして、保護部材３は外箱本体１の外側から貼り付けるものであるため、外箱本体１には特別な加工を必要としない。そのため、簡単な構成で上述の効果を得ることができ、ある程度であれば大きさや形状の異なる取手部２にも対応できるため汎用性に優れている。また、製品の生産時だけでなく、既に生産し梱包が終わった保管品にも貼り付けることができるため作業性にも優れる。
【００２１】
さらには、既に取手孔が開いている外箱にも使用することができる。例えば、使用者から修理依頼のために外箱に入れられて送られてきたものはすでに取手孔が開いていることが多く、そのまま同じ外箱に梱包して返送すると、使用者の元へ届くまでに取手孔からゴミや埃等が侵入する可能性がある。そこで、修理が終わって外箱に梱包した後で取手部２に保護部材３を貼り付ければ、取手孔を塞ぐことができるので、返送のための輸送中にゴミや埃等が侵入することが防止される。
【００２２】
保護部材３は、外箱本体１から剥がした後でも再度貼り付けることができる。つまり、暖房機や扇風機のように使用する時期が限られている電化製品は、オフシーズンになると片付けられるものである。その際、購入した際に梱包されていた外箱に入れて保管することが一般的に行われているが、取手孔を開けるために剥がした保護部材３を取手部２に再度貼り付けることで、家庭での保管の際にも取手孔からのゴミ等の侵入を抑制することができる。
【００２３】
保護部材３の形状は、取手部２の全体を覆うことができるようになっていればどのような形状であっても構わないし、材質も紙や樹脂製など種々のものを使用することができる。また、その色は外箱本体１とは異なる色にして目立たせてもよいし、外箱本体１と同系色にしてもよい。そして文字等を記載することもできる。文字等により注意表示することで、流通過程で保護部材３を剥がしてしまうことを抑制することができる。
【００２４】
図３は注意表示が記載された保護部材３の一例を示している。保護部材３の表面には「お客様用外箱取手保護シール」「ご購入後、このシールを剥がして外箱取手をご利用ください」との記載がされている。「お客様用」と明記することで、購入者以外の人が保護部材３を剥がしてはいけないことが容易に認識される。また、保護部材３が貼られていることで、取手部２が存在することに気がつかないことも考えられるため、保護部材３が取手部２を保護する目的で貼り付けられていることや、これを剥がすことで取手部２を使用できることがわかるようになっている。
【００２５】
以上、本考案の実施形態について詳細に説明したが、本考案は上述の実施の形態に限定されるものではなく、本考案の要旨を逸脱しない範囲内において、種々の変更、改良等が可能である。
【００２６】
例えば、図３はあくまで注意書きの一例を示したものであるから、注意書きを読んだ人が保護部材３が貼り付けられている目的や取り扱いを正しく認識できるようになっていれば、記載内容はこれに限定されない。
【符号の説明】
【００２７】
１    外箱本体
２    取手部
３    保護部材
４    ミシン目
５    折曲片
【図１】
0003210354.tif 000003
【図２】
0003210354.tif 000004
【図３】
0003210354.tif 000005